(57)【特許請求の範囲】
【請求項１】
建築構造物の外表面に設置する外装材であって、鉛直表面部と該鉛直表面部の下部に鉛直表面部から後方に屈曲した下部表面部を有するものにおいて、
前記鉛直表面部と下部表面部の成す内角が鈍角であり、かつ、前記鉛直表面部の下部および、前記鉛直表面部と前記下部表面部とで形成する隅角部、および前記下部表面部を親水化処理したことを特徴とする外装材。
【請求項２】
外装材の下部表面部に、該下部表面部を伝わる水を収容可能な樋状体を備えたことを特徴とする請求項１に記載の外装材。
【請求項３】
樋状体は、該樋状体の一方の側壁に該樋状体を外装材に取り付ける取付部を有すると共に、該樋状体の開口側を鉛直表面部側に向けて配置されていることを特徴とする請求項２に記載の外装材。
【請求項４】
樋状体の取付部を設けていない側壁の断面先端位置を、外装材表面部と同一または外装材表面部よりも後方寄りになるように設定したことを特徴とする請求項３に記載の外装材。
【請求項５】
樋状体の両端部の形状を、その軸方向に凹凸する凹凸形状にするか、または、樋状体の端部にスリットを設けたことを特徴とする請求項３または４に記載の外装材。
【請求項６】
外装材を建築構造物の開口部上方に設置したときに、樋状体の両端部が前記開口部の側部に設けられた開口脇パネル面に近接配置されるように樋状体の長さが設定されていることを特徴とする請求項２〜５のいずれか一項に記載の外装材。
【請求項７】
外装材を建築構造物の開口部上方に設置したときに、樋状体の両端部が開口部に設けられた開口脇パネル面に当接するように樋状体の長さが設定されていることを特徴とする請求項５に記載の外装材。
【請求項８】
請求項２〜７のいずれか一項に記載の外装材を設置してなる建築構造物の外装構造であって、平面視で樋状体の両端部に隣接する外装材の端面に親水化処理を施したことを特徴とする建築構造物の外装構造。
【発明の詳細な説明】
【技術分野】
【０００１】
本発明は、建築構造物の外装材および該外装材を用いた建築構造物の外装構造に関する。
【背景技術】
【０００２】
昨今、建築構造物の外装材の表面部に散水を行い、その表面温度を低下せしめ、建物の空調負荷の低減、周辺の温熱環境の改善をはかる研究開発がなされている。そこで用いられる外装材の表面部には、酸化チタンに代表される光触媒材料や、けい素化合物等による親水層が設けられ、外装材表面部で、全体に水膜を形成するように計画されている（例えば特許文献１参照）。
【０００３】
実際の建築構造物で、上記計画を実現するのにあたっては、外装面全体での水膜の維持が重要であるが、外装材同士の目地部に設けられるシーリングについて、良好な親水性を発揮する材料は開発されておらず、この部分は撥水性となっている。
そのため、外装材上方から流下する水が、広く水膜を形成して表面部を覆っていたとしても、当該外装材の下方に目地部を介して配置された外装材まで至る間に、撥水性の目地部を通過した段階で筋状の水流となり、以下の部分では、水膜は広がらなくなることがわかっている。
このような問題を解決するために、本発明の発明者によって特願２００４−３４３２４７号に記載の発明が考案され、目地部の形状等を工夫することで、連続した水膜形成が可能となり、目地部を有する外壁でも所定の性能が得られるようにしている。
【特許文献１】特表２００３−５２５７４４号公報
【発明の開示】
【発明が解決しようとする課題】
【０００４】
目地部の問題については先願の発明によって解決可能であるとして、他の課題として以下のものがある。以下、本発明の解決しようとする課題を具体的な外装材を例に挙げて説明する。
図９は従来の外装材の縦断面図である。従来の外装材５０は、図９（ａ）に示すように、全体形状が有底枠体状をしており、表面部５１と、表面部５１の外周に形成された外周面部５３と、外周面部５３に設けられて外装材５０を下地材に取り付けるための取付部５５を有している。この例では表面部５１における設置状態で鉛直面となる鉛直表面部５１ａの下部が後方に向けて略直角に屈曲しており、設置状態で水平面となる下部表面部５１ｂが形成されている。表面部５１は鉛直表面部５１ａと下部表面部５１ｂから構成されている。
他の、従来の外装材としては、下部表面部５１ｂのないものとして図９（ｂ）に示すものがある。
【０００５】
図１０は図９（ａ）に示した外装材を建築構造物の外表面に設置した状態を示している。
図１０は建築構造物における窓が設けられる開口部近傍の縦断面図を示している。開口部においては、たて胴縁６１にアングル６３を介して窓開口下地材６５が設置され、窓開口下地材６５によって形成された開口部に窓６７が設置されている。また、窓６７の上方には、外装材５０が、その下端側の取付部５５をアングル６９によって窓開口下地材６５に固定することで建築構造物の外表面に取り付けられている。
【０００６】
上記のように、外装材５０の下方に開口部が設けられて、そこに窓が設けられるような場合、図１０に示すように、散水した水が、外装材表面部の隅角部Ａから（正確には隅角部Ａからやや室内側）水滴となって滴下する。
このような水滴は、雨天時には問題にならないが、晴天時においては周囲への水の飛散などの問題がある。
また、外装材表面部の隅角部Ａから下方に滴下すると、この外装材よりも下方に存在する外装材への給水量が低下してしまい、下方の外装材における水膜形成不良が発生するという問題もある。
【０００７】
なお、上記の課題のうちの水の飛散の問題を解決するために、例えば開口上部に軒状物を設けたり、あるいは、外装材表面部の隅角部Ａに樋を設置したりすることも考えられるが、これらの方法は、建築構造物の意匠が損なわれる可能性がある。また、仮に樋を設けた場合には樋で回収された水を別途適切に流下させる手段も必要となる。
【０００８】
本発明は、上記課題を解決するためになされたもので、建築物の意匠を損なうことなく、建築構造物の外表面における開口部での適切な散水管理を行うことのできる外装材および該外装材を設置した建築構造物の外装構造を得ることを目的とする。
【課題を解決するための手段】
【０００９】
（１）本発明に係る外装材は、建築構造物の外表面に設置する外装材であって、鉛直表面部と該鉛直表面部の下部に鉛直表面部から後方に屈曲した下部表面部を有するものにおいて、
前記鉛直表面部と下部表面部の成す内角が鈍角であり、かつ、前記鉛直表面部の下部および、前記鉛直表面部と前記下部表面部とで形成する隅角部、および前記下部表面部を親水化処理したことを特徴とするものである。
【００１０】
（２）また、上記（１）に記載のものにおいて、外装材の下部表面部に、該下部表面部を伝わる水を収容可能な樋状体を備えたことを特徴とするものである。
【００１１】
（３）また、上記（２）に記載のものにおいて、樋状体は、該樋状体の一方の側壁に該樋状体を外装材に取り付ける取付部を有すると共に、該樋状体の開口側を鉛直表面部側に向けて配置されていることを特徴とするものである。
【００１２】
（４）また、上記（３）に記載のものにおいて、樋状体の取付部を設けていない側壁の断面先端位置を、外装材表面部と同一または外装材表面部よりも後方寄りになるように設定したことを特徴とするものである。
【００１３】
（５）また、上記（３）または（４）に記載のものにおいて、樋状体の両端部の形状を、その軸方向に凹凸する凹凸形状にするか、または、樋状体の端部にスリットを設けたことを特徴とするものである。
【００１４】
（６）また、上記（２）〜（５）のいずれかに記載のものにおいて、外装材を建築構造物の開口部上方に設置したときに、樋状体の両端部が前記開口部の側部に設けられた開口脇パネル面に近接配置されるように樋状体の長さが設定されていることを特徴とするものである。
【００１５】
（７）また、上記（５）に記載のものにおいて、外装材を建築構造物の開口部上方に設置したときに、樋状体の両端部が開口部に設けられた開口脇パネル面に当接するように樋状体の長さが設定されていることを特徴とするものである。
【００１６】
（８）また、本発明の築構造物の外装構造は、上記（２）〜（７）のいずれかに記載の外装材を設置してなる建築構造物の外装構造であって、平面視で樋状体の両端部に隣接する外装材の端面に親水化処理を施したことを特徴とするものである。
【発明の効果】
【００１７】
本発明においては、鉛直表面部と該鉛直表面部の下部に鉛直表面部から後方に屈曲した下部表面部を有するものにおいて、前記鉛直表面部と下部表面部の成す内角が鈍角であり、かつ、前記鉛直表面部の下部および、前記鉛直表面部と前記下部表面部とで形成する隅角部、および前記下部表面部を親水化処理したことにより、外装材の鉛直表面部を流下した水が鉛直表面部と下部表面部との屈曲部で滴下することなく下部表面部を伝わるので、水の飛散による弊害を抑制することができる。
【発明を実施するための最良の形態】
【００１８】
［実施の形態１］
図１は本発明の実施の形態１に係る外装材の縦断面図である。本実施の形態の外装材１は、基本形状が有底枠体状からなり、建築構造物に設置状態で建築構造物の外装面を形成する表面部３と、表面部３の外周に形成された外周面部５と、外周面部５に設けられて外装材１を下地材に取り付けるための取付部７を有している。
また、表面部３は、設置状態で鉛直面となる鉛直表面部３ａと、この鉛直表面部３ａの下方に連続して形成されて後方に傾斜する下部表面部３ｂとから構成されている。下部表面部３ｂの傾斜角度Ｒ（鉛直表面部３ａの裏面と下部表面部３ｂの裏面の成す角度）は鈍角になるように設定されている。
外装材１は後方に向けて屈曲する下部表面部３ｂを有しており、外装材１を建築構造物の外表面に設置したときに下部表面部３ｂが軒部に相当することから、建築構造物の外表面に形成される開口部の奥行きが深い場合に好適である。
【００１９】
外装材１の具体的寸法は適宜設定されるが、この例では、高さ1200mm、幅1500mm、外周面部の高さ（外装材の奥行に相当する）50mmであり、また、鉛直表面部３ａと下部表面部３ｂの内角Ｒは120°に設定され、下部表面部３ｂは100mm後方へ突出させている。
そして、鉛直表面部３ａの下部および鉛直表面部３ａ、下部表面部３ｂとで形成する隅角部Ａ、および下部表面部３ｂについて、親水処理がなされている。親水処理とは、例えば酸化チタンに代表される光触媒材料や、けい素化合物等を塗布することである。
【００２０】
親水性の指標としては、水との接触角が10°以下が望ましく、更に望ましくは5°以下であるが、試験等によって、鉛直表面部３ａを流下する水流が、下部表面３ｂの端部まで到達できる角度と親水性の組み合わせを確認して、任意に設定できる。
また、親水層の構成も、本目的を達成することができれば特に限定せず、酸化チタンやけい素化合物等を表面層として形成する方法の他、粉体塗装を行って表面粗度を調整する方法など、任意に選択することができる。
さらに、鉛直表面部３ａと下部表面部３ｂの内角Ｒの大きさは、90°を越える鈍角であれば効果が得られるが、下面の親水性が高ければ高いほど小さい角度でも効果が発揮できる。
【００２１】
図２は図１に示した外装材１を建築構造物の外表面に設置した状態の縦断面図であり、図１０と同一部分には同一の符号が付してある。
本実施の形態の外装材１を建築構造物の外表面に設置することで、外装材１の鉛直表面部３ａを流下した水は、隅角部Ａで鉛直に落下せず、下部表面部３ｂを伝わって隅角部Ｂに到達して下方に滴下する。このため、周囲への水の飛散が抑制される。
【００２２】
また、外装材１の表面部の水膜形成のために散水した水が下部表面部３ｂを伝わってサッシに到達するため、窓部を構成するサッシに親水処理を施してサッシにも散水する場合には、外装材１への散水をサッシ部への補助散水手段とすることができる。このため、サッシ部分への散水を計画するような場合、外壁への散水量を増加することによって、サッシ部への補助散水とすることができ、あるいは、別途サッシ用の散水装置を設けないようにすることもできる。
【００２３】
［実施の形態２］
図３は本発明の実施の形態２の説明図であり、図２と同一部分には同一の符号を付してある。
本実施の形態の外装材１１は、実施の形態１で示した外装材１の下部表面部３ｂに、該下部表面部３ｂの幅方向に延びる樋状体１３を設けたものである。樋状体１３は、互いに略Ｖ字をなす溝壁１３ａ、１３ｂを有している。この２つの溝壁のうちの溝壁１３ｂの上端部には取付片部１３ｃが設けられており、この取付片部１３ｃを介して樋状体１３が下部表面部３ｂに取り付けられている。
樋状体１３は、その取付状態において溝壁１３ｂの上端部が下部表面部３ｂに接しており、他方の溝壁１３ａと下部表面部３ｂとの間には隙間１５が形成されている。そして、溝壁１３ａの上端部の位置は隅角部Ａよりも後方に位置している。
【００２４】
上記のように構成された本実施の形態の外装材１３においては、散水された水が下部表面部３ｂを伝わり、その後溝壁１３ｂを伝わって樋状体１３に回収される。
このように本実施の形態によれば、隅角部Ａからの水滴の飛散を防止できることに加えて、窓側への水の滴下を完全に無くすことができる。したがって、窓の開閉を行う場合のように窓への水の滴下を防止する必要がある場合に好適である。
また、溝壁１３ａの上端部の位置は隅角部Ａよりも後方になるように設定しているので、外装材１１を取り付けた状態を正面からみたときに樋状体１３が目立たず、意匠的に優れている。
【００２５】
なお、樋状体１３の取付時期は、外装材１３を建築構造物に取り付ける前に予め外装材１３に取り付けておいてもよいし、あるいは樋状体１３を外した状態で外装材１１を設置し、その後に樋状体１３を取り付けるようにしてもよい。また、取付片部１３ｃを下部表面部３ｂに固定する手段は特に限定されず、ビス止め、接着等どのような手段であってもよい。
【００２６】
また、樋状体の形状も図３に示したものに限定されず、例えば図４に示すような樋状体１７でもよい。樋状体１７は全体形状を略Ｊ字状とし、片側の溝壁１７ｂの上部を取付部１７ｃとしてこの部分を外周面部５に固定するようにしたものである。また、樋状体１７の溝壁１７ａの上端部を鉛直上方に向けて屈曲している。このようにすることで、収容した水が溝から溢れるのを防止できる。
【００２７】
なお、散水量が多い場合には図５に示すように溝壁１７ａを前方に延出させて溝壁１７ａの上端部が鉛直表面部３ａと同一位置になるようにしてもよい。このようにすることで、散水量が多い場合にも回収した水が溢れることがないと共に、溝壁１７ａの上端部が鉛直表面部３ａと同一位置になっていることから、樋状体１７の存在がほとんど分からないようにでき、意匠的に優れている。
【００２８】
なお、上記の実施の形態の溝壁１３ａ、１３ｂ、１７ａ、１７ｂは、本発明における樋状体の側壁に相当するが、本発明における樋状体の側壁は、樋状体において水路となる溝を構成する溝壁に限定されるものではなく、例えば溝部の上方に側壁が形成されたような場合にはこれを含む趣旨である。
【００２９】
［実施の形態３］
図６は本発明の実施の形態３の説明図であり、開口部に窓６７が設けられた建築構造物の開口部の平断面を示している。図６において図３と同一部分には同一の符号が付してある。また、開口部の上方に設けた外装材１１の樋状体１３、１７の投影位置を黒四角で示している。
本実施の形態は、実施の形態２において設けた樋状体１３、１７の幅方向の長さを、外装材１１を建築構造物の開口部上方に設置したときに、樋状体１３、１７の両端部が開口部の両側部に設けられた開口脇パネル面２１に対して約５mmの隙間で配置されるように設定したものである。
【００３０】
樋状体１３、１７の両端部の位置を開口脇パネル面２１に対して約５mmの隙間で配置したことにより、樋状体１３で回収された水が隙間から開口脇パネル面を伝わって下方に流下する。したがって、別途樋などを設ける必要がなくなる。
なお、隙間の間隔は５mmに限定されるものではなく、樋状体１３の大きさ、回収水量に応じて任意に定めることができる。もっとも、隙間が広すぎると樋状体１３で回収された水が開口脇パネル面２１に伝わらないことになる。したがって、この隙間は樋状体１３から流れ出る水が開口脇パネル面２１を伝わることができるような大きさであることを要する。
【００３１】
なお、図７に示すように、例えば樋状体１７の端部に軸方向に凹凸する凹凸部２３を設けることによって、凸部２３ａを開口脇パネル面２１に当接あるいは近接させれば、樋状体１７の水のうち凹部２３ｂから流下するものが凸部２３ａに導かれて開口脇パネル面２１に伝わりやすくなる。
また、樋状体１３の端部の形状として、樋状体端部に孔状（多角形、円形、半円形）、線状、またはこれらに類するスリットを設けてもよい。この場合にも、樋状体の端部を開口脇パネル面２１に接触させてもよい。
【００３２】
なお、開口脇パネル面２１に実施の形態１で示した親水化処理を施すのが好ましい。このようにすることで、樋状体１３によって回収された水がより確実に開口脇パネル面２１を伝わって下方に流下するので、周囲への水の飛散を確実に防止できる。
更に、開口サッシ下部に設けられる水切りに親水化処理をすると、より効果的である。
【００３３】
なお、上記の実施の形態の説明では図９（ａ）に示した外装材について説明したが、従来例として図９（ｂ）に示したような外装材の場合には、図８に示すように、下部側の外周面部５と鉛直表面部３ａとの内角Ｒを鈍角になるように設定すればよい。この場合には、下部外周面部５が本発明の下部表面部に相当する。
【図面の簡単な説明】
【００３４】
【図１】本発明の実施形態１に係る外装材の説明図である。
【図２】本発明の実施形態１に係る外装材の設置状態の説明図である。
【図３】本発明の実施形態２に係る外装材の説明図である。
【図４】本発明の実施形態２に係る外装材の他の態様の説明図である。
【図５】本発明の実施形態２に係る外装材の他の態様の説明図である。
【図６】本発明の実施形態３に係る外装材の説明図である。
【図７】本発明の実施形態３に係る外装材の樋状体の説明図である。
【図８】本発明の外装材の他の態様の説明図である。
【図９】従来の外装材の説明図である。
【図１０】本発明の課題の説明図である。
【符号の説明】
【００３５】
１  外装材、３  表面、３ａ  鉛直表面部、３ｂ  下部表面部。
【図１】
0004665655.tif 000002
【図２】
0004665655.tif 000003
【図３】
0004665655.tif 000004
【図４】
0004665655.tif 000005
【図５】
0004665655.tif 000006
【図６】
0004665655.tif 000007
【図７】
0004665655.tif 000008
【図８】
0004665655.tif 000009
【図９】
0004665655.tif 000010
【図１０】
0004665655.tif 000011